(57)【要約】【課題】内部光源の消灯時と点灯時とで、表示部を異なる有彩色に変化させることが可能で、しかも内部光源の点灯時において濃い色合いの色が得られる表示体用部材、その表示体用部材を使用した表示体及び押釦スイッチ構造体を提供する。【解決手段】自然光又は人工光等の外部光側に配置される有彩色の第１着色層１１と、該第１着色層１１と異なる色相を有し内部光源側に配置される第２着色層１２とが積層されている表示体用部材であって、外部光が第１着色層１１で反射されて外部に放射される第１層反射光が、外部光が第１着色層１１を透過し第２着色層１２で反射して、再び第１着色層１１を透過して外部に放射される第２層反射光より強く、かつ、第１層反射光が、内部光源の光が第２着色層１２及び第１着色層１１を透過して外部に放射される外部向き透過光より弱い範囲に、第１着色層１１の全光線反射率及び全光線透過率、並びに第２着色層１２の全光線反射率及び全光線透過率を設定する。【選択図】　　　図１
2004038068.tif 000002
【特許請求の範囲】
【請求項１】
自然光又は人工光等の外部光側に配置される有彩色の第１着色層と、該第１着色層と異なる色相を有し内部光源側に配置される第２着色層とが積層されている表示体用部材であって、
前記外部光が前記第１着色層で反射されて外部に放射される第１層反射光が、前記外部光が前記第１着色層を透過し前記第２着色層で反射して、再び前記第１着色層を透過して外部に放射される第２層反射光より強く、かつ、前記第１層反射光が、前記内部光源の光が前記第２着色層及び第１着色層を透過して外部に放射される外部向き透過光より弱い範囲に、
前記第１着色層の全光線反射率及び全光線透過率、並びに前記第２着色層の全光線反射率及び全光線透過率が設定されていることを特徴とする表示体用部材。
【請求項２】
前記第１着色層の全光線反射率が２０〜７０％及び全光線透過率が３０〜８０％、前記第２着色層の全光線反射率が１〜１０％未満及び全光線透過率が３〜４０％であることを特徴とする請求項１に記載の表示体用部材。
【請求項３】
前記第１着色層及び前記第２着色層が、透光性を有する樹脂フィルムからなる光透過性基材に形成されたインキ層であることを特徴とする請求項１又は２に記載の表示体用部材。
【請求項４】
前記光透過性基材が、全光線透過率４０％以上であることを特徴とする請求項３に記載の表示体用部材。
【請求項５】
前記第１着色層の外部光側又は前記第２着色層の外部光側に前記内部光源の光を遮光する遮光層を有し、該遮光層の一部に前記内部光源の光が透過できる透過部を形成して該透過部を文字、記号、図柄等の模様に象った表示部としたことを特徴とする請求項１乃至４のいずれか１つに記載の表示体用部材。
【請求項６】
請求項１乃至５のいずれか１つに記載の表示体用部材を使用した表示体であって、前記内部光源の点灯時に、前記第２着色層の内部光源側の照度が前記第１着色層の外部光側の照度以上になるように内部光源の光量が設定されていることを特徴とする表示体。
【請求項７】
請求項１乃至５のいずれか１つに記載の表示体用部材を使用した表示体であって、押釦スイッチの天面部に設けられていることを特徴とする押釦スイッチ構造体。
【発明の詳細な説明】
【０００１】
【発明の属する技術分野】
この発明は、内部光源の点灯時と消灯時とで異なる色が表現できる表示体用部材、表示体、並びにオーディオ機器、携帯電話等の小型電子機器に使用する押釦スイッチ構造体に関する。
【０００２】
【従来の技術】
従来、オーディオ機器、携帯電話等の小型電子機器の押釦スイッチ構造体には、押釦の天面に文字、記号、図柄等の模様からなる表示部が設けられているが、近年、この表示部の色が使用時に変化するものが検討されていて、押釦スイッチ構造体の内部に光源を配置し、押釦の天面に高い透過率の着色部分を設けて表示部を形成したものが知られている。
【０００３】
この押釦スイッチ構造体によれば、表示部が透明の抜き文字の場合は、内部光源の点灯時にはＬＥＤの光がそのまま透過するが、内部光源の消灯時には黒又は黒に近い色相となる。一方、表示部が有彩色の場合には、内部光源の点灯により表示部の明るさを同系色で変えることはできた。
【０００４】
また、押釦スイッチ構造体の表示部が可視光線を透過可能な層を２層積層したものも知られているが、このような表示部を２層構造としたものでは、内側の層に着色層を形成し、この着色層の外側層にパール感、メタリック感を付与できる光沢層を形成していた。このものにあっては、内部光源の消灯時に表示部にパール感やメタリック感を付与することができ、内部光源の点灯時には内部光源の透過光により表示部を着色層の色に表現することができる。
【０００５】
さらに、表示部を２層構造とした他のものでは、内側の層に着色層を形成し、この着色層の外側層に透光性白色層を形成していた。このものにあっては、図５に示したように、内部光源の消灯時（図５（ａ））に表示部２０が白色となり、内部光源の点灯時（図５（ｂ））には内部光源の透過光により透光性白色層が視認されなくなり表示部２０を着色層の色（図面上は灰色）として表現することができる。
【０００６】
【発明が解決しようとする課題】
しかしながら、以上のような従来の押釦スイッチ構造体では、ＬＥＤの色を直接透過させる透明抜き文字の場合には、内部光源の点灯時にはＬＥＤの色に、消灯時には表示部が黒又は黒に近い無彩色になってしまい、視認性に欠けるものであった。
【０００７】
また、図５に示したような、透光性白色層と着色層との２層構造の表示部２０では、内部光源の消灯時の白色から内部光源の点灯時に表現される着色層の色との変化しか表現できず、しかも表現できる色は白みがかっているため淡い色合いの色しか視認できなかった。さらに、内部光源の点灯時に白色の表示部が明瞭に視認できるためには、背景となる地２１の色が濃い色に限定されるといったデザイン上の制限もあり、地２１が濃い色であるから内部光源で照らし出された表示部も明瞭さに欠けるものであった。
【０００８】
そこで、この発明では、従来の以上のような問題点を解消すべく、内部光源の消灯時と点灯時とで、表示部を異なる有彩色に変化させることが可能で、しかも内部光源の点灯時において濃い色合いの色が得られる表示体用部材、その表示体用部材を使用した表示体及び押釦スイッチ構造体を提供することを課題とする。
【０００９】
【課題を解決するための手段】
以上のような課題を解決するために、請求項１に記載の発明は、自然光又は人工光等の外部光側に配置される有彩色の第１着色層と、該第１着色層と異なる色相を有し内部光源側に配置される第２着色層とが積層されている表示体用部材であって、前記外部光が前記第１着色層で反射されて外部に放射される第１層反射光が、前記外部光が前記第１着色層を透過し前記第２着色層で反射して、再び前記第１着色層を透過して外部に放射される第２層反射光より強く、かつ、前記第１層反射光が、前記内部光源の光が前記第２着色層及び第１着色層を透過して外部に放射される外部向き透過光より弱い範囲に、前記第１着色層の全光線反射率及び全光線透過率、並びに前記第２着色層の全光線反射率及び全光線透過率が設定されていることを特徴としている。
【００１０】
請求項２に記載の発明は、請求項１に記載の構成に加えて、前記第１着色層の全光線反射率が２０〜７０％及び全光線透過率が３０〜８０％、前記第２着色層の全光線反射率が１〜１０％未満及び全光線透過率が３〜４０％であることを特徴としている。
【００１１】
請求項３に記載の発明は、請求項１又は２に記載の構成に加えて、前記第１着色層及び前記第２着色層が、透光性を有する樹脂フィルムからなる光透過性基材に形成されたインキ層であることを特徴としている。
【００１２】
請求項４に記載の発明は、請求項３に記載の構成に加えて、前記光透過性基材が全光線透過率４０％以上であることを特徴としている。
【００１３】
請求項５に記載の発明は、請求項１乃至４のいずれか１つに記載の構成に加えて、前記第１着色層の外部光側又は前記第２着色層の外部光側に前記内部光源の光を遮光する遮光層を有し、該遮光層の一部に前記内部光源の光が透過できる透過部を形成して該透過部を文字、記号、図柄等の模様に象った表示部としたことを特徴としている。
【００１４】
請求項６に記載の発明は、請求項１乃至５のいずれか１つに記載の表示体用部材を使用した表示体であって、前記内部光源の点灯時に、前記第２着色層の内部光源側の照度が前記第１着色層の外部光側の照度以上になるように内部光源の光量が設定されていることを特徴としている。
【００１５】
請求項７に記載の発明は、請求項１乃至５のいずれか１つに記載の表示体用部材を使用した表示体であって、押釦スイッチの天面部に設けられていることを特徴としている。
【００１６】
【発明の実施の形態】
以下、この発明の実施の形態を図を用いて説明する。
【００１７】
図１は、小型電子機器に組み込まれた状態を示したこの発明の実施の形態に係る押釦スイッチ構造体の要部断面図である。
【００１８】
１は押釦スイッチ構造体であり、小型電子機器に使用されるものにあっては一般に押釦２が多数設けられており、この押釦２が筐体３の開口部４からその一部が露出した状態で配置されている。そして、筐体３の内部には図示しない内部光源が配置されており、必要に応じてこの内部光源が点灯及び消灯自在になっている。
【００１９】
押釦２は、光透過性基材５を絞り加工することにより所望の形状の凸部６が形成されていて、光透過性基材５の凸部６の内側（凹部）には、透明樹脂からなる芯材９が充填されている。
【００２０】
天面７には、内部光源からの光を遮光する遮光層１０と、この遮光層１０で区画された光を透過する透光性を有する表示部（透過部）８とが設けられており、この表示部（透過部）８により、文字、記号、図柄等の模様が形成されている。
【００２１】
そして、表示部（透過部）８の内部光源側には、表示部（透過部）８を覆うように設けた有彩色の第１着色層１１と、この第１着色層１１より内部光源側に積層され第１着色層１１と異なる色相を有する第２着色層１２が設けられている。
さらに、第１着色層１１は、図２の拡大図に示したように、無機顔料粉末、金属粉末等からなるパール感付与材又はメタリック感付与材等を分散させた乱反射層１１ａと、この乱反射層１１ａより内部光源側に積層された赤、青、黄、緑等の色を付与した着色層１１ｂとから構成されている。
【００２２】
光透過性基材５には、透明乃至半透明の材料が使用され、具体的には全光線透過率が４０％以上の材料、例えば、ポリエチレンテレフタレート、ポリカーボネート、又は両者のアロイからなる樹脂フィルムが使用される。光透過性基材５の全光線透過率が４０％より小さいと、第１着色層１１及び第２着色層１２の色、特に内部光源の点灯時の第２着色層１２の色が表面側から視認し難くなるため好ましくない。
【００２３】
ここで、可視光線とは、電磁波のうちで光として人間の目に見えるものをいい、波長が３８０〜８１０ｎｍの範囲（人によって多少異なる）であって、波長の違いにより異なった色感が得られる。また、ある物質に入射された可視光線は、その物質の表面で反射するもの、その物質を透過するもの、及びその物質に吸収されるものとの分けることができ、入射された量を１００とした場合に、それぞれの割合の合計（反射率＋透過率＋吸収率）が１００となるものと考える。
【００２４】
光透過性基材５が樹脂フィルムからなる場合、樹脂フィルムの厚さを１０μｍ以上とするのが好ましい。厚さが１０μｍより薄いと第１着色層１１及び第２着色層１２を印刷により形成する場合、印刷し難くなるので好ましくない。
【００２５】
第１着色層１１は、第２着色層１２より表面側に形成される層であり、内部光源の消灯時に、太陽光等の外部光を反射することにより、押釦２の表示部（透過部）８を第１着色層１１の色として表現するためのものである。第１着色層１１としては、全光線反射率が２０〜７０％のものを使用する。第１着色層１１の全光線反射率が２０％より小さいと、外部の光の反射が小さすぎて内部光源の消灯時に第２着色層１２の色が外部から視認され易くなり、他方、７０％より大きいと、外部の光の反射が大きすぎて内部光源の点灯時に第２着色層１２の色が視認され難くなる。
【００２６】
第２着色層１２は、内部光源の点灯時にこの第２着色層１２の色を表現するためのものであり、第１着色層１１とは異なる色相を有し、第１着色層１１より内部光源側に配置されている。この第２着色層１２は、全光線透過率が３〜４０％であり、１０％未満の全光線反射率を有する必要がある。第２着色層１２の全光線透過率が４０％を超えると、第２着色層１２を透過する光の発色性が乏しくなってしまうため、内部光源の点灯時に第２着色層１２の色を外部から視認し難くなる。他方、第２着色層１２の全光線透過率が３％より小さいと、内部光源からの光が外部へ到達し難くなる他、絶対的な視認性が悪化してしまうため、内部光源の点灯時に第２着色層１２の色を外部から視認し難くなる。
【００２７】
また、第２着色層１２の全光線反射率が１０％より大きいと、外部から入射した光が第２着色層１２で反射して再度外部に放射され易く、内部光源の消灯時に第２着色層１２の色が外部から視認され易くなる。なお、第２色彩層１２の全光線反射率は１％より小さくすることはできないが、できるだけ低くするのが好ましい。
【００２８】
内部光源は、第１着色層１１の全光線透過率及び全光線反射率並びに第２着色層１２の全光線透過率、さらには使用環境等に応じた光度に設定されるのが好ましい。具体的には、後述する実験例で明らかなように、この発明の実施の形態にあっては、押釦２の表面側の照度が内部光源側（内面側）の照度の２倍以上大きければ第１着色層１１の色相が確認され、押釦２の表面側の照度が内部光源側（内面側）と等しいか若しくは内部光源側（内面側）より小さければ第２着色層１２の色相が確認された。
【００２９】
なお、押釦２の表面側から視認できる天面７の地に相当する遮光層１０と文字、記号、図柄等の模様を形成する表示部（透過部）８との色は、外部光の種類によってもその見え方が異なるのは当然であるが、この発明にあっては、外部光が同じ場合の内部光源の消灯時に見える表示部（透過部）８の有彩色と点灯時に見える表示部（透過部）８の有彩色とが異なった色に見えることに意味がある。したがって、すべての色を本来の色として視認できる太陽光下で使用されるのが最も好ましい環境条件といえるが、白色電球下では太陽光下で見るよりもすべての物体が赤みがかって見え、蛍光灯下では赤や橙系がややくすんで見えることになるだけで、内部光源の消灯時に見える表示部（透過部）８の有彩色と点灯時に見える表示部（透過部）８の有彩色とが異なった色に見えることには変わりがない。
【００３０】
以上のような構成の押釦スイッチ構造体１を製造するには、まず、光透過性基材５の一方の面に遮光性の塗料を用いて遮光層１０を印刷する。このとき、押釦２の天面７に相当する箇所の遮光層１０を除去するようにして区画された透光性を有する文字、記号、図柄等の模様からなる表示部（透過部）８を形成する。そして、この表示部（透過部）８を覆うように乱反射層１１ａ及び有彩色の着色層１１ｂを順に印刷し、その上に着色層１１ｂと異なる色相を有する第２着色層１２を印刷する。そして、この各印刷層が天面７の内側に配置されるように絞り加工して凸部６を形成し、その内側（凹部）に透明樹脂からなる芯材９を充填することにより製造することができる。
【００３１】
この遮光層１０、第１着色層１１及び第２着色層１２の印刷方法は適宜選択することができるが、例えば、スクリーン印刷、オフセット印刷、グラビア印刷等により行うことができる。このように、光透過性基材５に印刷することにより各層を積層すれば、各層を薄く形成することができ、第１着色層１１及び第２着色層１２の必要とする全光線透過率を確保することができる。
【００３２】
以上のような実施の形態に係る押釦スイッチ構造体１では、まず、内部光源の消灯時に太陽光等の外部光が第１着色層１１で反射されて放出される光が、第２着色層１２で反射されて第１着色層１１を透過して放出される光より強くなっている。そのため、内部光源の消灯時には、図３（ａ）に示したように、表示部（透過部）８には第２着色層１２の色が表示されずに、第１着色層１１の色（図面上では黒色）が表示される。
【００３３】
そして、内部光源を点灯すると、外部光が第１着色層１１で反射されて放出される光が、内部光が第１着色層１１及び第２着色層１２を透過して放出される光より弱くなっている。そのため、内部光源の点灯時には、図３（ｂ）に示したように、表示部（透過部）８には第１着色層１１の色が表示されずに、第２着色層１２の色（図面上では灰色）が表示される。
【００３４】
したがって、このような押釦スイッチ構造体１によれば、内部光源の消灯時と点灯時とで、押釦２の表示部（透過部）８の色を大きく変化させることができ、さらに、内部光源の消灯時には、パール感付与材又はメタリック感付与材等を分散させた乱反射層１１ａの存在により、表示部（透過部）８にパール感やメタリック感が与えられた優れた外観品質が得られる。
【００３５】
第１着色層１１及び第２着色層１２は印刷により形成されているため、第１着色層１１及び第２着色層１２の肉厚を薄く形成することが容易であり、そのため、各層の必要とする全光線透過率を確保し易く、全光線透過率の調整も簡単である。
【００３６】
押釦２の天面７には、内部光源からの光を遮光する遮光層１０と光を透過する表示部（透過部）８とを設け、遮光層１０及び表示部（透過部）８により文字、記号、図柄等の模様を形成したので、内部光源の点灯時に文字、記号、図柄等の模様が鮮明に視認できる。
【００３７】
また、遮光層１０より内部光源側に第１着色層１１及び第２着色層１２を設けたので、内部光源の消灯時に表示される文字、記号、図柄等の模様と内部光源の点灯時に表示される文字、記号、図柄等の模様とが、共通の表示部（透過部）８により形成されるため、同一形状の文字、記号、図柄等の模様の色相だけを変化させることが可能である。
【００３８】
これにより、押釦２の天面７に設けられた表示部（透過部）８が内部光源の点灯時と消灯時のいずれでもはっきり視認できるので、複数の押釦２が密集していても各押釦２の機能が一目で認識することができ、しかも、押釦２の種類によって第１着色層１１と第２着色層１２との組み合わせを変えることで種々のデザインを設計することができるから、押釦スイッチの操作性が向上するとともに、使用者の望むデザインの多様化にも応じた押釦スイッチ構造体１を提供することができる。
【００３９】
さらに、この押釦スイッチ構造体１では、光透過性基材５の内部光源側に、遮光層１０、第１着色層１１及び第２着色層１２が設けられているため、押釦２を押圧する際、使用者が直接各層に触れることがなく、各層の剥がれ等の損傷を防止できる。
【００４０】
なお、この発明は、上記実施の形態に限定されるものではなく、適宜、変更可能であり、例えば、光透過性基材５を用いずに第１着色層自体又は第２着色層１２自体に、着色した樹脂フィルムを使用することも可能である。
【００４１】
また、上記実施の形態では遮光層１０より内部光源側に第１着色層１１を設けることにより、内部光源の点灯時及び消灯時の両方で、文字、記号、図柄等の模様を表示するようにしているが、図４に示したように、第１着色層１１より内部光源側に遮光層１０を設ける構成としてもよい。
【００４２】
さらに、上記実施の形態ではこの発明に係る表示体用部材を小型電子機器に設けられた押釦スイッチ構造体１について説明したが、例えば看板や各種機器の操作盤等、背面側から内部光源で照射して表示する他の表示体の表示体用部材として使用することも可能であり、その用途は何ら限定されるものではない。
【００４３】
【実施例】
以下、この発明の実施例について説明する。
【００４４】
［実施例１］
厚さ７５μｍのポリエステルフィルム（ルミラー（登録商標）、東レ（株）製）からなる光透過性基材５の一方の面である裏面側に、パール顔料（イリオジン（登録商標）＃１００、メルク社製）と微量のＩＰＳインキ・黒（帝国インキ製造（株）製）とを分散させたＩＰＳインキ０００メジウム（帝国インキ製造（株）製）からなる乱反射層１１ａと、全光線反射率が６０％に調製されたＩＰＳインキ・ライトグレー（帝国インキ製造（株）製）からなる有彩色の着色層１１ｂと、全光線反射率が６％で全光線透過率が３５％に調製されたＩＰＳインキ・緑（帝国インキ製造（株）製）からなる第２着色層１２とを、順次スクリーン印刷し、この表示部の内面側に１４００ｃｄ／ｍ２の輝度で照射可能な白色蛍光灯型バックライトを配置して表示体用部材を作成した。
【００４５】
この表示体用部材を、太陽光線のもとバックライトを消灯したまま外面側から観察したところ、表示部８はシルバー色であった。
【００４６】
次に、太陽光線のもとバックライトを点灯して外面側から目視したところ、表示部８は緑色の色相となった。
【００４７】
なお、すべての実施例及び比較例において、各着色層の全光線反射率と全光線透過率は、（株）村上色彩技術研究所製ＨＲ−１００を用い、ＪＩＳ−Ｋ７１０５に準じる試験方法により測定を行った。また、輝度、色度については、（株）トプコン製分光放射計ＳＲ−２を使用して測定した。
【００４８】
［実施例２］
厚さ１２５μｍのポリカーボネートアロイフィルム（バイホール（商標）、バイエル社製）からなる光透過性基材５の一方の面である裏面側に、イリオジン＃１００（登録商標、メルク社製）とアルミペーストファイン（商標、十条ケミカル（株）製）を分散させたＨＴＲインキメジウム（商標、プレール社製）からなる乱反射層１１ａと、全光線反射率が５０％に調製されたＨＴＲインキ（商標、プレール社製）・黄からなる有彩色の着色層１１ｂと、全光線反射率が２％で全光線透過率が２０％に調製されたＨＴＲインキ（商標、プレール社製）・緑からなる第２着色層１２とを、順次スクリーン印刷した。この印刷済みフィルムを金型により図１に示すような押釦形状に成形し、凸部６の内部には透明度の高い樹脂としてポリカーボネート樹脂（三菱樹脂エンジニアリングプラスチック（株）製、ユーピロン、全光線透過率は８５〜９０％）を芯材９として充填し押釦２を形成した。そして、内部に１０００ｃｄ／ｍ２の輝度で照射可能な白色蛍光灯型バックライトを配置して押釦スイッチ構造体１を製作した。
【００４９】
この押釦スイッチ構造体１の表示部８を、太陽光線のもとバックライトを消灯したまま外面側から観察測定したところ、輝度が２．１ｃｄ／ｍ２、色相のｘが０．３１、ｙが０．３５のメタリックシルバー色であった。
【００５０】
次に、バックライトを点灯して外面側から観察測定したところ、輝度が２．１ｃｄ／ｍ２、色相のｘが０．１９、ｙが０．５２の緑色の色相が得られた。
【００５１】
［実施例３］
厚さ１２５μｍのポリカーボネートアロイフィルム（バイホール（商標）、バイエル社製）からなる光透過性基材５の一方の面である内面側に、ＨＴＲインキ（商標、プレール社製）・黒を分散させたＨＴＲインキメジウム（商標、プレール社製）からなる乱反射層１１ａと、全光線反射率が４０％に調製されたＨＴＲインキ（商標、プレール社製）・ベージュからなる有彩色の着色層１１ｂと、全光線反射率が２％で全光線透過率が１０％に調製されたＨＴＲインキ（商標、プレール社製）・青からなる第２着色層１２とを、順次スクリーン印刷した。この印刷済みフィルムを金型により図１に示すような押釦形状に成形し、凸部６の内部には透明度の高い樹脂としてポリカーボネート樹脂（三菱樹脂エンジニアリングプラスチック（株）製、ユーピロン、全光線透過率は８５〜９０％）を芯材９として充填し押釦２を形成した。そして、内部に１０００ｃｄ／ｍ２の輝度で照射可能な白色蛍光灯型バックライトを配置して押釦スイッチ構造体１を製作した。
【００５２】
この押釦スイッチ構造体１の表示部８を、太陽光線のもとバックライトを消灯したまま外面側から観察測定したところ、色相のｘが０．３１、ｙが０．３４のメタリックシルバー色であった。
【００５３】
次に、バックライトを点灯して外面側から観察測定したところ、輝度が１．４ｃｄ／ｍ２、色相のｘが０．４０、ｙが０．１５の青色の色相が得られた。
【００５４】
［実施例４］
厚さ１２５μｍのポリカーボネートアロイフィルム（バイホール（商標）、Ｂａｙｅｒ社製）からなる光透過性基材５の一方の面である内面側に、ＨＴＲインキ（商標、プレール社製）・黒を用いて予め文字が光を透過するように抜き文字スクリーン印刷を行い、その文字部に全光線反射率が６０％に調製されたＨＴＲインキ（商標、プレール社製）・白からなる有彩色の第１着色層１１と、全光線反射率が６％で全光線透過率が３５％に調製されたＨＴＲインキ（商標、プレール社製）・青からなる第２着色層１２とを、順次スクリーン印刷した。この印刷済みフィルムを金型により図１に示すような押釦形状に成形し、凸部６の内部には透明度の高い樹脂としてポリカーボネート樹脂（三菱樹脂エンジニアリングプラスチック（株）製、ユーピロン、全光線透過率は８５〜９０％）を芯材９として充填し押釦２を形成した。そして、内部に４００ｃｄ／ｍ２の輝度で照射可能な白色蛍光灯型バックライトを配置して押釦スイッチ構造体１を製作した。
【００５５】
この押釦スイッチ構造体１の表示部８を、太陽光線のもとバックライトを消灯したまま外面側から観察したところ、白色であった。
【００５６】
次に、バックライトを点灯して外面側から観察したところ、ピンク色の色相が得られた。
【００５７】
［比較例１］
厚さ１２５μｍのポリカーボネートアロイフィルム（バイホール（商標）、バイエル社製）からなる光透過性基材５の一方の面である内面側に、ＨＴＲインキ（商標、プレール社製）黒を用いて予め文字が光を透過するように抜き文字スクリーン印刷を行い、その文字部に全光線反射率が１０％に調製されたＨＴＲインキ（商標、プレール社製）・白からなる有彩色の第１着色層１１と、全光線反射率が１１％で全光線透過率が５０％に調製されたＨＴＲインキ（商標、プレール社製）・赤からなる第２着色層１２とを、順次スクリーン印刷した。この印刷済みフィルムを金型により図１に示すような押釦形状に成形し、凸部６の内部には透明度の高い樹脂としてポリカーボネート樹脂（三菱樹脂エンジニアリングプラスチック（株）製、ユーピロン、全光線透過率は８５〜９０％）を芯材９として充填し押釦２を形成した。そして、内部に１０００ｃｄ／ｍ２の輝度で照射可能な白色蛍光灯型バックライトを配置して押釦スイッチ構造体１を製作した。
【００５８】
この押釦スイッチ構造体１の表示部８を、太陽光線のもとバックライトを消灯したまま外面側から観察したところ、赤色が確認されてしまった。
【００５９】
【発明の効果】
以上説明したとおり、請求項１の発明は、外部光が第１着色層で反射されて外部に放射される第１層反射光が、外部光が第１着色層を透過し第２着色層で反射して、再び第１着色層を透過して外部に放射される第２層反射光より強く、かつ、第１層反射光が、内部光源の光が第２着色層及び第１着色層を透過して外部に放射される外部向き透過光より弱い範囲に、第１着色層の全光線反射率及び全光線透過率、並びに第２着色層の全光線反射率及び全光線透過率が設定されているので、例えば、広告塔等の表示体の表面側に第１着色層を配置し、第２着色層を内部光源側に配置することで、内部光源の消灯時には外部光を第１着色層が反射する量が多いため第２着色層の色相が視認されず第１着色層の色相のみが視認され、内部光源の点灯時には外部光より内部光源による照度の方が大きいため、内部光源が第２着色層を透過した光がより全光線透過率の高い第１着色層を透過するため第１着色層の色相が視認されず第２着色層の色相のみが視認されることになり、内部光源の消灯時と点灯時とで、所望とする箇所を異なる有彩色に変化させることが可能で、しかも内部光源の点灯時において濃い色合いの色が得られる表示体用部材及びその表示体用部材を使用した表示体を提供することができる。
【００６０】
請求項２に記載の発明によれば、第１着色層の全光線反射率が２０〜７０％及び全光線透過率が３０〜８０％、第２着色層の全光線反射率が１以上１０％未満及び全光線透過率が３〜４０％であるので、請求項１の効果に加えて、内部光源の消灯時と点灯時とで、より明確に表示部を異なる有彩色に変化させることが可能な表示体用部材及びその表示体用部材を使用した表示体を提供することができる。
【００６１】
請求項３に記載の発明によれば、第１着色層及び第２着色層が、透光性を有する樹脂フィルムからなる光透過性基材に形成されたインキ層であるので、請求項１又は２の効果に加えて、第１着色層及び前記第２着色層の形成が容易であり、しかもインキの調製により全光線反射率及び全光線透過率を簡単に設定できるため、製造が容易となる。
【００６２】
請求項４に記載の発明によれば、光透過性基材が全光線透過率４０％以上であるので、第１層反射光、第２層反射光及び外部向き透過光の透過性能を損なうことないため、請求項３の構成に加えて、内部光源の消灯時と点灯時とで、所望とする箇所を異なる有彩色に変化させることが確実に行われる。
【００６３】
請求項５に記載の発明によれば、第１着色層の外部光側又は第２着色層の外部光側に内部光源の光を遮光する遮光層を有し、該遮光層の一部に前記内部光源の光が透過できる透過部を形成して該透過部を文字、記号、図柄等の模様に象った表示部としたので、請求項１乃至４のいずれか１つに記載の効果に加えて、内部光源の点灯時に文字、記号、図柄等の模様が鮮明に視認できる。
【００６４】
請求項６に記載の発明によれば、請求項１乃至５のいずれか１つに記載の表示体用部材を使用した表示体であって、内部光源の点灯時に、第２着色層の内部光源側の照度が前記第１着色層の外部光側の照度以上になるように内部光源の光量が設定されているので、暗がりで使用する場合は勿論、蛍光灯の明かりや自然光下で使用する場合にも、所望とする箇所を確実に異なる有彩色に変化させることができる。
【００６５】
請求項７に記載の発明によれば、請求項１乃至５のいずれか１つに記載の表示体用部材を使用した表示体であって、押釦の天面部に設けられているので、複数の押釦が密集していても各押釦スイッチの機能が一目で認識することができ、しかも、押釦の種類によって第１着色層と第２着色層との組み合わせを変えることで種々のデザインを設計することができるから、押釦スイッチの操作性が向上するとともに、使用者の望むデザインの多様化にも応じた押釦スイッチ構造体を提供することができる。
【図面の簡単な説明】
【図１】この発明の実施の形態に係る押釦スイッチ構造体の押釦を示した要部断面図である。
【図２】図１の押釦の天面部の拡大断面図である。
【図３】この発明の実施の形態に係る押釦スイッチ構造体の押釦の天面側から見た平面図であり、（ａ）は内部光源の消灯時を示し、（ｂ）は内部光源の点灯時を示している。
【図４】同押釦スイッチ構造体の他の態様を示した押釦の天面部の拡大断面図である。
【図５】従来の透光性白色層と着色層との２層構造の表示部を有する押釦スイッチ構造体の押釦の天面側から見た平面図であり、（ａ）は内部光源の消灯時を示し、（ｂ）は内部光源の点灯時を示している。
【符号の説明】
１　押釦スイッチ構造体
２　押釦
５　光透過性基材
６　凸部
７　天面
８　表示部（透過部）
９　芯材
１０　遮光層
１１　第１着色層
１１ａ　乱反射層
１１ｂ　着色層
１２　第２着色層
【図１】
2004038068.tif 000003
【図２】
2004038068.tif 000004
【図３】
2004038068.tif 000005
【図４】
2004038068.tif 000006
【図５】
2004038068.tif 000007